(57)【要約】      （修正有）【課題】専用の滑走路が必要とされず、垂直に離着陸することが可能な空飛ぶ円盤型航空機を提供する。【解決手段】空飛ぶ円盤本体１と、飛行パドルと、着陸ギアとを備える空飛ぶ円盤型航空機であって、卵状の空飛ぶ円盤本体の中部に周方向に電磁軌道４が設けられており、電磁軌道が中部が内部に窪む凹字型軌道であり、電磁軌道に、磁気浮上式車両５が設けられており、飛行パドルが磁気浮上式車両の外に接続され、磁気浮上式車両によって動かされて電磁軌道に卵状の空飛ぶ円盤本体の周りを回転することができ、卵状の空飛ぶ円盤本体の両側かつ飛行パドルの下にある位置に、さらにターボジェットブラケット６が設けられており、ターボジェットブラケットにターボジェット７が回動可能に接続されており、着陸ギアが卵状の空飛ぶ円盤本体の底部に設けられ、着陸ギアが折り畳みブラケットである。【選択図】図３
0003231509.tif 000002
【実用新案登録請求の範囲】
【請求項１】
空飛ぶ円盤本体と、飛行パドルと、着陸ギアとを備える空飛ぶ円盤型航空機であって、前記空飛ぶ円盤本体の中部に周方向に電磁軌道が設けられており、前記電磁軌道が中部が内部に窪む凹字型軌道であり、前記電磁軌道に、それに合わせる磁気浮上式車両が設けられており、前記飛行パドルが磁気浮上式車両の外に接続され、磁気浮上式車両によって動かされて電磁軌道に沿って空飛ぶ円盤本体の周りを回転することができ、前記空飛ぶ円盤本体の両側かつ飛行パドルの下にある位置に、さらにターボジェットブラケットが設けられており、前記ターボジェットブラケットにターボジェットが接続されており、前記空飛ぶ円盤本体の一方側のターボジェットが縦方向に設けられ、他方側のものが横方向に設けられ、前記着陸ギアが空飛ぶ円盤本体の底部に設けられ、前記着陸ギアが折り畳みブラケットであることを特徴とする、空飛ぶ円盤型航空機。
【請求項２】
前記飛行パドルの外部に飛行パドルの保護カバーが設けられており、前記飛行パドルの保護カバーが、飛行パドルの外部に設けられるとともに、それと同じ水平面にある環状保護ブラケットを備え、前記環状保護ブラケットの上下の両端がそれぞれ空飛ぶ円盤本体の方向に延伸して、飛行パドルを被覆できる上ネット、下ネットが設けられ、前記上ネット、下ネットの末端が全て空飛ぶ円盤本体に接続されることを特徴とする、請求項１に記載の空飛ぶ円盤型航空機。
【請求項３】
前記飛行パドルが、磁気浮上式車両の外部に設けられる環状の飛行パドルのブラケットを備え、前記環状の飛行パドルのブラケットの外部に周方向に複数のブレードが設けられていることを特徴とする、請求項２に記載の空飛ぶ円盤型航空機。
【請求項４】
前記ブレードが、水平面と角度を成している傾斜ブレードであることを特徴とする、請求項３に記載の空飛ぶ円盤型航空機。
【請求項５】
前記空飛ぶ円盤本体が、電磁軌道が設けられている中心キャビンを備え、前記中心キャビンの上部に、上推進装置格納キャビンと、制御センタ格納キャビンと、運転装置格納キャビンとが設けられており、前記中心キャビンの下部に、下推進装置格納キャビンと、上推進装置格納キャビン、制御センタ格納キャビン、運転装置格納キャビン、下推進装置格納キャビンに給電するための給電装置格納キャビンとが設けられており、前記運転装置格納キャビンの頂部が開閉可能なトップハッチカバーであることを特徴とする、請求項１に記載の空飛ぶ円盤型航空機。
【請求項６】
前記運転装置格納キャビンに緊急脱出用射出座席が設けられていることを特徴とする、請求項５に記載の空飛ぶ円盤型航空機。
【請求項７】
前記空飛ぶ円盤本体の底部に反転キャビンドアが設けられており、前記反転キャビンドアの内側面に階段が設けられており、前記空飛ぶ円盤本体内に反転キャビンドアから運転装置格納キャビンまでの出入り経路が設けられており、前記出入り経路内に出入り経路に沿って設けられる垂直階段が設けられていることを特徴とする、請求項５に記載の空飛ぶ円盤型航空機。
【請求項８】
前記上推進装置格納キャビン、制御センタ格納キャビンの外表面に太陽電池パネルが敷設されていることを特徴とする、請求項５に記載の空飛ぶ円盤型航空機。
【請求項９】
前記開閉可能なトップハッチカバーが透明なハッチカバーであることを特徴とする、請求項５に記載の空飛ぶ円盤型航空機。
【請求項１０】
前記環状保護ブラケットの外側にさらに複数の照明灯が設けられていることを特徴とする、請求項２に記載の空飛ぶ円盤型航空機。
【考案の詳細な説明】
【技術分野】
【０００１】
本考案は、航空機の技術分野に関し、詳しくは空飛ぶ円盤型航空機である。
【背景技術】
【０００２】
従来の航空機は主として飛行機、グライダー、ヘリコプター、熱気球である。円盤状航空機では、現在主として映画・テレビ及び図画に具現されており、かつ飛行機の飛行に多くの制限条件があり、例えば、専用の滑走路が必要とされる一方、従来の航空機は全て中心対称構造を取るものではなく、空中を飛行する場合、異常な気流に遭遇すると、ひどく干渉され、素早く操舵できないというデメリットを有する。よって、皿状を主とする新規の航空機を作り出すことは非常に必要であり、かつ航空機の種類を１つ増やすことができる。
【考案の概要】
【０００３】
上記技術的課題を解決するために、本考案は以下の技術的手段を提供する。空飛ぶ円盤本体と、飛行パドルと、着陸ギアとを備える空飛ぶ円盤型航空機であって、前記空飛ぶ円盤本体の中部に周方向に電磁軌道が設けられており、前記電磁軌道が中部が内部に窪む凹字型軌道であり、前記電磁軌道に、それに合わせる磁気浮上式車両が設けられており、前記飛行パドルが磁気浮上式車両の外に接続され、磁気浮上式車両によって動かされて電磁軌道に沿って空飛ぶ円盤本体の周りを回転することができ、前記空飛ぶ円盤本体の両側かつ飛行パドルの下にある位置に、さらにターボジェットブラケットが設けられており、前記ターボジェットブラケットにターボジェットが接続されており、前記空飛ぶ円盤本体の一方側のターボジェットが縦方向に設けられ、他方側のものが横方向に設けられ、前記着陸ギアが空飛ぶ円盤本体の底部に設けられ、前記着陸ギアが折り畳みブラケットである空飛ぶ円盤型航空機。
【０００４】
改善としては、前記飛行パドルの外部に飛行パドルの保護カバーが設けられており、前記飛行パドルの保護カバーが、飛行パドルの外部に設けられるとともに、それと同じ水平面にある環状保護ブラケットを備え、前記環状保護ブラケットの上下の両端がそれぞれ空飛ぶ円盤本体の方向に延伸して、飛行パドルを被覆できる上ネット、下ネットが設けられ、前記上ネット、下ネットの末端が全て空飛ぶ円盤本体に接続される。
【０００５】
改善としては、前記飛行パドルが、磁気浮上式車両の外部に設けられる環状の飛行パドルのブラケットを備え、前記環状の飛行パドルのブラケットの外部に周方向に複数のブレードが設けられている。
【０００６】
改善としては、前記ブレードが、水平面と角度を成している傾斜ブレードである。
【０００７】
改善としては、前記空飛ぶ円盤本体が、電磁軌道が設けられている中心キャビンを備え、前記中心キャビンの上部に、上推進装置格納キャビンと、制御センタ格納キャビンと、運転装置格納キャビンとが設けられており、前記中心キャビンの下部に、下推進装置格納キャビンと、上推進装置格納キャビン、制御センタ格納キャビン、運転装置格納キャビン、下推進装置格納キャビンに給電するための給電装置格納キャビンとが設けられており、前記運転装置格納キャビンの頂部が開閉可能なトップハッチカバーである。
【０００８】
改善としては、前記運転装置格納キャビンに緊急脱出用射出座席が設けられている。
【０００９】
改善としては、前記空飛ぶ円盤本体の底部に反転キャビンドアが設けられており、前記反転キャビンドアの内側面に階段が設けられており、前記空飛ぶ円盤本体内に反転キャビンドアから運転装置格納キャビンまでの出入り経路が設けられており、前記出入り経路内に出入り経路に沿って設けられる垂直階段が設けられている。
【００１０】
改善としては、前記上推進装置格納キャビン、制御センタ格納キャビンの外表面に太陽電池パネルが敷設されている。
【００１１】
改善としては、前記開閉可能なトップハッチカバーが透明なハッチカバーである。
【００１２】
改善としては、前記環状保護ブラケットの外側にさらに複数の照明灯が設けられている。
【００１３】
以上の構造を用いることで、本考案は下記のメリットを有する。本願に係る航空機は新規の航空機として、運送、旅行、探査等の活動を行うことができる。本願に係る航空機は離着陸する場合専用の滑走路が必要とされず、垂直に離着陸することが可能であり、空中を飛行すると同時に、飛行パドルの保護カバーの下の横方向ターボジェット又は上下２層の推進装置室の方向制御推進装置を介して、便利に方向を変更することができる。
【図面の簡単な説明】
【００１４】
【図１】図１は本考案に係る空飛ぶ円盤型航空機の概略構成図である。
【図２】図２は本考案に係る空飛ぶ円盤型航空機における飛行パドルの保護カバーの概略構成図である。
【図３】図３は本考案に係る空飛ぶ円盤型航空機における電磁軌道の概略構成図である。
【図４】図４は本考案に係る空飛ぶ円盤型航空機における飛行パドルの概略構成図である。
【図５】図５は本考案に係る空飛ぶ円盤型航空機における上り下り階段の概略構成図である。
【考案を実施するための形態】
【００１５】
添付図面を参照する。空飛ぶ円盤本体１と、飛行パドル２と、着陸ギア３とを備える空飛ぶ円盤型航空機であって、前記空飛ぶ円盤本体１の中部に周方向に電磁軌道４が設けられており、前記電磁軌道４が中部が内部に窪む凹字型軌道であり、前記電磁軌道４に、それに合わせる磁気浮上式車両５が設けられており、前記飛行パドル２が磁気浮上式車両５の外表面に接続され、磁気浮上式車両５によって動かされて電磁軌道に沿って空飛ぶ円盤本体１の周りを回転することができ、前記空飛ぶ円盤本体１の両側かつ飛行パドル２の下にある位置に、さらにターボジェットブラケット６が設けられており、前記ターボジェットブラケット６にターボジェット７が回動可能に接続されており、前記空飛ぶ円盤本体１の一方側のターボジェット７が縦方向に設けられ、他方側のものが横方向に設けられ、前記着陸ギア３が空飛ぶ円盤本体１の底部に設けられ、前記着陸ギア３が折り畳みブラケットであることを特徴とする、空飛ぶ円盤型航空機。
【００１６】
本実施例の好ましい実施形態としては、前記飛行パドル２の外部に飛行パドルの保護カバー８が設けられており、前記飛行パドルの保護カバー８が、飛行パドル２の外部に設けられるとともに、それと同じ水平面にある環状保護ブラケット８．１を備え、前記環状保護ブラケット８．１の上下の両端がそれぞれ空飛ぶ円盤本体１の方向に延伸して、飛行パドル２を被覆できる上ネット８．２、下ネット８．３が設けられ、前記上ネット８．２、下ネット８．３の末端が全て空飛ぶ円盤本体１に接続される。飛行パドルの保護カバー８の設置は空気の流通に影響せず、空中浮遊物及び鳥類が回転翼羽根内に入ることを防止できる。
【００１７】
本実施例の好ましい実施形態としては、前記飛行パドル２が磁気浮上式車両５の外部に設けられる環状の飛行パドルのブラケット２．１を備え、前記環状の飛行パドルのブラケット２．１の外部に周方向に複数のブレード２．２が設けられている。
【００１８】
本実施例の好ましい実施形態としては、前記ブレード２．２が、水平面と角度を成している傾斜ブレードである。
【００１９】
本実施例の好ましい実施形態としては、前記空飛ぶ円盤本体１が、電磁軌道４が設けられている中心キャビン１．１を備え、前記中心キャビン１．１の上部に、上推進装置格納キャビン１．２と、制御センタ格納キャビン１．３と、運転装置格納キャビン１．４とが設けられており、前記中心キャビン１．１の下部に、下推進装置格納キャビン１．５と、上推進装置格納キャビン１．２、制御センタ格納キャビン１．３、運転装置格納キャビン１．４、下推進装置格納キャビン１．５に給電するための給電装置格納キャビン１．６とが設けられており、前記運転装置格納キャビン１．４の頂部が開閉可能なトップハッチカバーである。
【００２０】
本実施例の好ましい実施形態としては、前記電磁軌道４が中心が凹む軌道であり、磁気浮上式車両５が電磁軌道４の中心の窪み部に嵌め込まれ、磁気浮上式車両５と電磁軌道４の磁極が反発するものであり、磁気浮上式車両５が電磁軌道４の中間及び上下に接触しないように保持され、浮遊状態にある。電源投入後、電磁軌道４の内部に設けられるソレノイドコイルの牽引力により、磁気浮上式車両５が電磁軌道４に沿って空飛ぶ円盤本体１の周りを回転し、磁気浮上式車両５の周囲の一回りの飛行パドル２を動かして回転させる。回転速度が一定の速度に達する場合、飛行パドル２の上へ向かう作用力が十分に大きく、空飛ぶ円盤本体１全体を動かして上に浮遊させる。その後、飛行パドルの保護カバーの下の縦方向ターボジェットで空飛ぶ円盤の後部を少し押し上げ、飛行パドルが上から下へ空気を吸い込むことから、前の上から後ろの下に空気を吸い込むことに変更し、ヘリコプターの推進方式を模倣して前に推進することにより、空飛ぶ円盤の浮遊と飛行の目的を実現する。空飛ぶ円盤を始動させる場合、回転翼羽根が回転し、その強い遠心力で空飛ぶ円盤本体全体がそれとともに回転する。したがって、飛行パドルの保護カバーの下に設けられる横方向ターボジェットを同時に始動させて、空飛ぶ円盤本体が安定するように制御を行う。
【００２１】
飛行パドルの保護カバーの下に設けられる前記横方向ターボジェットは、回転速度を向上、低減することにより、方向を調整することができる。
【００２２】
空飛ぶ円盤本体の上下２層の推進装置室に設けられる前記方向制御推進装置は、左右に交互に作動するように設定されることにより、方向の調整を実現することができる。例えば、左に曲がる場合、右側の方向制御推進装置を始動させ、空飛ぶ円盤本体は左側に折れることが可能である。右に曲がる場合、左側の方向制御推進装置を始動させ、空飛ぶ円盤本体は右側に折れることが可能である。将来空飛ぶ円盤が宇宙空間に用いられる場合に使用されてもよく、空気がない環境で、この推進装置を利用することにより推進することができる。推進装置室の方向制御推進装置を介して、方向を調整することができる。
【００２３】
前記給電設備室におけるパワーパックは電池パック又は原子力電池パックとされてもよい。給電装置格納キャビンが空飛ぶ円盤本体の下にあり、給電装置を取り付けた後、空飛ぶ円盤は重心が下にあり、傾斜したりとんぼ返りしたりしないように保持され得る。
【００２４】
本実施例の好ましい実施形態としては、前記運転装置格納キャビン１．４に緊急脱出用射出座席が設けられている。
【００２５】
本実施例の好ましい実施形態としては、前記制御センタ格納キャビンの内部に、空飛ぶ円盤型航空機が着陸するための大型落下傘及び噴射装置がさらに設けられており、その出口が運転装置格納キャビンの中心位置に接続される。空飛ぶ円盤が空中を飛行する過程で故障したり停電したりする場合、同期自動トップハッチカバーが開き、又は直接爆破し、その後、空飛ぶ円盤が着陸するための大型落下傘を噴射し、空飛ぶ円盤の安全性を大幅に向上できる。例えば、大型落下傘の噴射が失敗したら、緊急脱出用射出座席を介して、人が座席とともにキャビン外に飛び出され、パイロットが体に装備される落下傘を開けて、座席を捨てて降下する。軍用機の射出方式を利用してパイロットの安全とパイロットの頭部が上に向かうという射出姿勢を確保し、その後、落下傘を投げることができる。
【００２６】
本実施例の好ましい実施形態としては、前記空飛ぶ円盤本体１の底部に反転キャビンドア９が設けられており、前記反転キャビンドア９の内側面に階段が設けられており、前記空飛ぶ円盤本体１に反転キャビンドア９から運転装置格納キャビン１．４までの出入り経路１０が設けられており、前記出入り経路１０に出入り経路１０に沿って上り下りするための簡単な上り下り階段１１が設けられている。
【００２７】
本実施例の好ましい実施形態としては、前記上推進装置格納キャビン１．２、制御センタ格納キャビン１．３の外表面に太陽電池パネルが敷設されている。
【００２８】
本実施例の好ましい実施形態としては、前記開閉可能なトップハッチカバーが透明なハッチカバーである。
【００２９】
本実施例の好ましい実施形態としては、前記環状保護ブラケット８．１の外側にさらに複数の照明灯１２が設けられている。夜にライトをつけて、離陸と着陸時における照明と美化に使用される。また、空飛ぶ円盤の一端にヘッドライトを設けてもよい。
【００３０】
本考案の構造を踏まえて、新規の航空機として、運送、旅行、探査等の活動を行うことができる。宇宙航空機として用いられてもよく、空飛ぶ円盤の模造玩具等としてもよい。
【００３１】
以上、本考案及びその実施の態様を説明したが、このような説明は制限性を有せず、添付図面に示すのも本考案の実施の態様の一つに過ぎず、実際の構造がこれに制限されるものではない。つまり、当業者がその示唆を受けて、本考案の趣旨を逸脱することなく、創造性なしで設計した前記技術的手段と同様な構造方式及び実施例は、全て本考案の保護範囲に属すべきである。
【符号の説明】
【００３２】
１    空飛ぶ円盤本体
１．１    中心キャビン
１．２    上推進装置格納キャビン
１．３    制御センタ格納キャビン
１．４    運転装置格納キャビン
１．５    下推進装置格納キャビン
１．６    給電装置格納キャビン
２    飛行パドル
２．１    環状の飛行パドルのブラケット
２．２    ブレード
３    着陸ギア
４    電磁軌道
５    磁気浮上式車両
６    ターボジェットブラケット
７    ターボジェット
８    飛行パドルの保護カバー
８．１    環状保護ブラケット
８．２    上ネット
８．３    下ネット
９    反転キャビンドア
１０    出入り経路
１１    上り下り階段
１２    照明灯
【図１】
0003231509.tif 000003
【図２】
0003231509.tif 000004
【図３】
0003231509.tif 000005
【図４】
0003231509.tif 000006
【図５】
0003231509.tif 000007